(57)【要約】 【課題】  本発明は、各受信部において同一の誤基準点が特定されても、受信状態の良好な受信部により出力された信号を適切に出力することのできる。【解決手段】    本発明は、多値変調方式に従って変調されて送信された信号を受信して受信信号として復調する第１受信部２００及び第２受信部３００と、第１受信部２００及び第２受信部３００により復調された各受信信号を合成して出力するダイバーシティ処理を実行するダイバーシティ処理実行部４０５とを備える。中止判定部４０３は、相関性判定部４０１により判定された相関性の大きさに応じて、ダイバーシティ処理実行部４０５の処理を中止させるか否か判定する。【選択図】      図１
2006270223.tif 000002
【特許請求の範囲】
【請求項１】
多値変調方式に従って変調されて送信された信号を受信して受信信号として復調する複数の受信部と、該複数の受信部により復調された各受信信号を合成して出力するダイバーシティ処理を実行するダイバーシティ処理実行部とを備えるダイバーシティ処理装置であって、
前記複数の受信部により受信された受信信号間の複素平面上での相関性が高いか否か判定する相関性判定部と、
前記相関性判定部により判定された相関性の大きさに応じて、前記ダイバーシティ処理実行部の処理を中止させるか否か判定する中止判定部と
を備えることを特徴とするダイバーシティ処理装置。
【請求項２】
前記中止判定部により前記ダイバーシティ処理実行部の処理が中止された場合には、前記多値変調方式に従う複素平面における前記受信信号の信号点に対応する信号のいずれかを選択して出力する選択部を備えることを特徴とする請求項１に記載のダイバーシティ処理装置。
【請求項３】
前記複数の受信部は、前記受信信号の品質の劣化の度合を示す品質値を算出する品質算出部をそれぞれ備え、
前記中止判定部は、前記相関性判定部により判定された相関性が高いと判定され、前記品質算出部により算出された前記品質値が閾値を超えている場合には、前記ダイバーシティ処理実行部の処理を中止させることを特徴とする請求項１に記載のダイバーシティ処理装置。
【請求項４】
前記複数の受信部は、前記多値変調方式に従う複素平面における前記受信信号の信号点に最も近い基準点を特定する基準点特定部をそれぞれ備え、
前記ダイバーシティ処理実行部は、前記各基準点特定部により特定された前記各基準点が一致している場合には、該各基準点に対応する信号を出力する基準点一致出力部を備えており、
前記中止判定部は、前記相関性判定部により判定された相関性が高いと判定され、前記品質算出部により算出された前記品質値が閾値を超えている場合には、前記基準点一致出力部の処理を中止させることを特徴とする請求項３に記載のダイバーシティ処理装置。
【請求項５】
前記複数の受信部は、前記多値変調方式に従う複素平面における前記受信信号の信号点と基準点との間の二点間距離を算出する距離算出部をそれぞれ備え、
前記ダイバーシティ処理実行部は、最も短い前記二点間距離を算出した前記受信部により出力された前記受信信号を出力する距離比較出力部を備えており、
前記中止判定部は、前記相関性判定部により判定された相関性が高いと判定され、前記品質算出部により算出された前記品質値が閾値を超えている場合には、前記距離比較出力部の処理を中止させることを特徴とする請求項３に記載のダイバーシティ処理装置。
【請求項６】
前記複数の受信部は、前記多値変調方式に従う複素平面における前記受信信号の信号点と基準点との間の距離である二点間距離を算出する距離算出部をそれぞれ備え、
前記ダイバーシティ処理実行部は、最も短い前記二点間距離を算出した前記受信部により出力された前記受信信号を出力する距離比較出力部を備えており、
前記中止判定部は、前記相関性判定部により判定された相関性が高いと判定され、前記品質算出部により算出された前記品質値が閾値を超えている場合には、前記基準点一致出力部及び前記距離比較出力部の処理を中止させることを特徴とする請求項４に記載のダイバーシティ処理装置。
【請求項７】
前記相関性判定部は、前記各基準点特定部により特定された前記各基準点が一致している場合には、該各基準点特定部を備える前記各受信部により出力された受信信号間の複素平面上での相関性が高いと判定することを特徴とする請求項１乃至請求項６のいずれかに記載のダイバーシティ処理装置。
【請求項８】
前記相関性判定部は、前記各受信部における前記受信信号の信号点間の距離の差分が閾値を超えていない場合には、該各受信部により出力された受信信号間の複素平面上での相関性が高いと判定することを特徴とする請求項１乃至請求項６のいずれかに記載のダイバーシティ処理装置。
【請求項９】
前記相関性判定部は、前記各基準点特定部により特定された前記各基準点が一致しており、前記各距離算出部により算出された前記各二点間距離の差分が閾値を超えていない場合には、該各基準点特定部を備える前記各受信部により出力された受信信号間の複素平面上での相関性が高いと判定することを特徴とする請求項１乃至請求項６のいずれかに記載のダイバーシティ処理装置。
【請求項１０】
前記品質算出部は、復調された前記受信信号の電力値を特定の電力値に近づけるための制御量を前記品質値として算出することを特徴とする請求項３乃至請求項６のいずれかに記載のダイバーシティ処理装置。
【請求項１１】
前記品質算出部は、前記複素平面における全ての基準点を囲む領域の外延から所定距離以上の隔てられた箇所で前記受信信号の信号点を特定した場合には、所定期間において特定した該受信信号の信号点の数を前記品質値として算出することを特徴とする請求項３乃至請求項６のいずれかに記載のダイバーシティ処理装置。
【請求項１２】
前記所定距離は、前記複素平面における隣接する前記基準点間の半分の距離であることを特徴とする請求項１１に記載のダイバーシティ処理装置。
【発明の詳細な説明】
【技術分野】
【０００１】
本発明は、所定の変調方式を用いて無線送信された信号を受信して復調するダイバーシティ処理装置に関する。
【背景技術】
【０００２】
ディジタル多値変調方式には、搬送波の周波数の高低にディジタル値を割り当てるディジタル周波数変調（FSK；Frequency Shift Keying）、搬送波の振幅の高低にディジタル値を割り当てるディジタル振幅変調（ASK；Amplitude Shift Keying）、搬送波の位相にディジタル値を割り当てるディジタル位相変調（PSK；Phase Shift Keying）（図１２参照）、直交する２つの搬送波を利用することにより振幅と位相との両方にディジタル値を割り当てる直交振幅変調（QAM；Quadrature Amplitude Modulation）（図１３参照）などの方式がある。
【０００３】
上記ＰＳＫ及びＱＡＭでは、複素平面において受信信号を復調する際に用いられる予め定められた信号点（以下では基準点と称する）が存在し、受信信号の信号点に最も近い基準点が特定される。この基準点を特定する処理は受信部毎に実行される。
【０００４】
そして、ダイバーシティ処理装置は、各受信部により特定された各基準点を比較し、該各基準点が一致する場合には、該各基準点に対応する信号を出力する処理（以下では「基準点一致出力処理」と称する）を実行する。
【０００５】
一方、ダイバーシティ処理装置は、各受信部により特定された各基準点を比較し、該各基準点が一致しない場合には、基準点と受信信号の信号点との間の最も短い距離を算出した受信部を選択し、選択した受信部からの受信信号を出力する処理（以下では「信頼度選択出力処理」と称する）を実行する。
【０００６】
上記基準点一致出力処理及び上記信頼度選択出力処理はダイバーシティ処理の一種である。以下では基準点一致出力処理及び信頼度選択出力処理（例えば、特許文献１参照）について、例を挙げて説明する。
【０００７】
図１４は、従来からのダイバーシティ処理装置１の内部構成を示す図である。図１４に示すように、ダイバーシティ処理装置１は、送信された信号を受信して受信信号として復調する第１受信部２及び第２受信部３と、第１受信部２及び第２受信部３により出力された各受信信号のいずれかを選択するダイバーシティ処理部４とを備えている。
【０００８】
図１５（ａ）及び図１６（ａ）は、複素平面において第１受信部２により復調された受信信号の信号点が存在している様子を示す図である。図１５（ｂ）及び図１６（ｂ）は、複素平面において第２受信部３により復調された受信信号の信号点が存在している様子を示す図である。
【０００９】
図１５（ａ）に示すように、第１受信部２により復調された受信信号の信号点Ｐ１０は基準点ｂに最も近い。このため、第１受信部２は基準点ｂを選択する。また、図１５（ｂ）に示すように、第２受信部３により復調された受信信号の信号点Ｐ２０も基準点ｂに最も近い。このため、第２受信部３も基準点ｂを選択する。したがって、第１受信部２により選択された基準点ｂと第２受信部３により選択された基準点ｂとが一致するため、ダイバーシティ処理部４は、該基準点ｂに対応する信号を出力する（基準点一致出力処理）。
【００１０】
図１６（ａ）に示すように、第１受信部２により復調された受信信号の信号点Ｐ３０は基準点ｃに最も近い。このため、第１受信部２は基準点ｃを選択する。一方、図１６（ｂ）に示すように、第２受信部３により復調された受信信号の信号点Ｐ４０は基準点ｄに最も近い。このため、第２受信部３は基準点ｄを選択する。
【００１１】
したがって、第１受信部２により選択された基準点ｃと第２受信部３により選択された基準点ｄとが一致しない。このため、受信信号の信号点Ｐ３０と基準点ｃとの間の距離の方が、受信信号の信号点Ｐ４０と基準点ｄとの間の距離よりも短いため、ダイバーシティ処理部４は、当該信号点Ｐ３０に対応する信号を出力する（信頼度選択出力処理）。
【特許文献１】特開２００３−２８３４５９号公報
【発明の開示】
【発明が解決しようとする課題】
【００１２】
しかしながら、受信された２つの信号（例えば、マルチパス信号など）の位相差が小さく、当該各信号の相関性が高い場合には、複素平面上において本来の基準点とは異なる誤基準点が各受信部において選択され、当該各受信部において選択された各誤基準点が同一となることがあった。
【００１３】
例えば、図１７に示すように、本来の基準点（変調時における基準点）がａであり、各受信部のそれぞれにおいて受信された各信号の信号点がＰ５０，Ｐ６０である場合には、当該各信号の信号点Ｐ５０，Ｐ６０は、本来の基準点ａよりも、該本来の基準点ａとは異なる誤基準点ｃに近い。このため、ダイバーシティ処理装置は、本来の基準点ａに対応する信号を出力するのではなく、誤基準点ｃに対応する信号を出力することがあった。
【００１４】
そこで、本発明は以上の点に鑑みて成されたものであり、各受信部において同一の誤基準点が特定されても、受信状態の良好な受信部により出力された信号を適切に出力することのできるダイバーシティ処理装置を提供することを目的とする。
【課題を解決するための手段】
【００１５】
本発明は、上記課題を解決するために、多値変調方式に従って変調されて送信された信号を受信して受信信号として復調する複数の受信部と、複数の受信部により復調された各受信信号を合成して出力するダイバーシティ処理を実行するダイバーシティ処理実行部とを備えるダイバーシティ処理装置であって、複数の受信部により受信された受信信号間の複素平面上での相関性が高いか否か判定する相関性判定部と、相関性判定部により判定された相関性の大きさに応じて、ダイバーシティ処理実行部の処理を中止させるか否か判定する中止判定部とを備えることを特徴とする。
【００１６】
かかる本発明の特徴によれば、複数の受信部により受信された受信信号間の複素平面上での相関性が高い場合、例えば、複数の受信部により２波のマルチパス信号が受信され、それらのマルチパス信号の位相差が小さい場合には、ダイバーシティ処理実行部の処理を中止させることができる。
【００１７】
具体的には、複数の受信部により受信された受信信号間の複素平面上での相関性が高い場合には、各受信信号に対応する複素平面上での信号点が本来の基準点とは異なる基準点（以下では、誤基準点と称する）に近くなる可能性が高い。この場合には、ダイバーシティ処理により各受信信号の信号点に近い誤基準点が選択され、当該誤基準点に対応する誤信号を出力する可能性が高くなる。
【００１８】
このため、複数の受信部により受信された受信信号間の複素平面上での相関性が高い場合には、ダイバーシティ処理を敢えて実行せずに、複数の受信部のうちのいずれかの受信部（例えば、受信信号の劣化の度合が最も少ない受信部など）からの信号を出力することにより、適切な信号を出力することができる。
【００１９】
上記発明においては、中止判定部によりダイバーシティ処理実行部の処理が中止された場合には、多値変調方式に従う複素平面における受信信号の信号点に対応する信号のいずれかを選択して出力する選択部が備えられてもよい。
【００２０】
上記発明においては、複数の受信部は、受信信号の品質の劣化の度合を示す品質値を算出する品質算出部をそれぞれ備え、中止判定部は、相関性判定部により判定された相関性が高いと判定され、品質算出部により算出された品質値が閾値を超えている場合には、ダイバーシティ処理実行部の処理を中止させてもよい。なお、品質値が高くなるにつれて、受信部により受信された受信信号の劣化の度合が高くなるとしてもよいし、該受信信号の劣化の度合が低くなるとしてもよい。
【００２１】
上記発明においては、複数の受信部は、多値変調方式に従う複素平面における受信信号の信号点に最も近い基準点を特定する基準点特定部をそれぞれ備え、ダイバーシティ処理実行部は、各基準点特定部により特定された各基準点が一致している場合には、各基準点に対応する信号を出力する基準点一致出力部を備えており、中止判定部は、相関性判定部により判定された相関性が高いと判定され、品質算出部により算出された品質値が閾値を超えている場合には、基準点一致出力部の処理を中止させてもよい。
【００２２】
上記発明においては、複数の受信部は、多値変調方式に従う複素平面における受信信号の信号点と基準点との間の二点間距離を算出する距離算出部をそれぞれ備え、ダイバーシティ処理実行部は、最も短い二点間距離を算出した受信部により出力された受信信号を出力する距離比較出力部を備えており、中止判定部は、相関性判定部により判定された相関性が高いと判定され、品質算出部により算出された品質値が閾値を超えている場合には、距離比較出力部の処理を中止させてもよい。
【００２３】
上記発明においては、複数の受信部は、多値変調方式に従う複素平面における受信信号の信号点と基準点との間の距離である二点間距離を算出する距離算出部をそれぞれ備え、ダイバーシティ処理実行部は、最も短い二点間距離を算出した受信部により出力された受信信号を出力する距離比較出力部を備えており、中止判定部は、相関性判定部により判定された相関性が高いと判定され、品質算出部により算出された品質値が閾値を超えている場合には、基準点一致出力部及び距離比較出力部の処理を中止させてもよい。
【００２４】
上記発明においては、相関性判定部は、各基準点特定部により特定された各基準点が一致している場合には、各基準点特定部を備える各受信部により出力された受信信号間の複素平面上での相関性が高いと判定してもよい。
【００２５】
上記発明においては、相関性判定部は、各受信部における前記受信信号の信号点間の距離の差分が閾値を超えていない場合には、該各受信部により出力された受信信号間の複素平面上での相関性が高いと判定してもよい。
【００２６】
上記発明においては、相関性判定部は、各基準点特定部により特定された各基準点が一致しており、各距離算出部により算出された各二点間距離の差分が閾値を超えていない場合には、各基準点特定部を備える各受信部により出力された受信信号間の複素平面上での相関性が高いと判定してもよい。
【００２７】
上記発明においては、品質算出部は、復調された受信信号の電力値を特定の電力値に近づけるための制御量を品質値として算出してもよい。
【００２８】
上記発明においては、品質算出部は、複素平面における全ての基準点を囲む領域の外延から所定距離以上の隔てられた箇所で受信信号の信号点を特定した場合には、所定期間において特定した該受信信号の信号点の数を品質値として算出してもよい。
【００２９】
上記発明においては、所定距離は、複素平面における隣接する基準点間の半分の距離であってもよい。
【発明の効果】
【００３０】
本発明によれば、各受信部において同一の誤基準点が特定されても、受信状態の良好な受信部により出力された信号を適切に出力することができる。
【発明を実施するための最良の形態】
【００３１】
［第１実施形態］
（ダイバーシティ処理装置の構成）
本実施形態におけるダイバーシティ処理装置について図面を参照しながら説明する。図１は、本実施形態におけるダイバーシティ処理装置１００を示す図である。図１に示すように、ダイバーシティ処理装置１００は、第１受信部２００と、第２受信部３００と、ダイバーシティ処理部４００とを備えている。
【００３２】
図２は、第１受信部２００の内部構造を示す図である。図２に示すように、第１受信部２００は、アンテナ２０１と、チューナー２０３と、ＡＧＣ部２０５と、Ａ／Ｄ変換部２０７と、同期部２０９と、ＦＦＴ部２１１と、復調部２１３と、基準点特定部２１５と、ずれ検出部２１７と、ずれ異常数算出部２１９と、制御量算出部２２１とを備えている。
【００３３】
アンテナ２０１は、送信部（図示せず）から送信された信号を受信する。チューナー２０３は、アンテナ２０１により受信された信号によりベースバンド信号を出力する。ＡＧＣ部２０５は、制御量算出部２１３により算出された制御量に基づいて、チューナー２０３により出力された信号の電力値を増減させて、特定の電力値に近づける。
【００３４】
同期部２０９は、Ａ／Ｄ変換部２０７により出力された信号を同期させ、ヒルベルト変換等を用いて同期させた信号をＩ軸成分の信号とＱ軸成分の信号とに分ける。ＦＦＴ部２１１は、高速フーリエ変換を実行することにより、同期部２０９により出力された時間軸に沿う信号を周波数軸に沿う信号に変換する。
【００３５】
復調部２１３は、ＦＦＴ部２１１により出力された信号を、多値変調方式を用いて復調する。具体的には、復調部２１３は、多値変調方式に従うＩ軸成分及びＱ軸成分からなる平面である複素平面（以下では、複素平面と称する）上で、ＦＦＴ部２１１により出力された信号に対応する信号点を特定する。
【００３６】
基準点特定部２１５は、復調部２１３により出力された信号に含まれているパイロット信号の平均値を算出し、これに所定の係数を乗算することにより、複素平面上での基準点を算出する。また、基準点特定部２１５は、複素平面における受信信号の信号点に最も近い基準点を特定する。
【００３７】
図３は、複素平面上での各基準点と受信信号の信号点とを示す図である。図３に示すように、例えば、受信信号の信号点Ｐ１は基準点ａに最も近い。このため、基準点特定部２１５は信号点Ｐ１に最も近い基準点ａを特定する。
【００３８】
ずれ検出部２１７は、基準点特定部２１５により特定された基準点に対する受信信号の信号点のずれの方向と大きさとを検出する。図３に示すように、例えば、ずれ検出部２１７は、基準点特定部２１５により特定された基準点ａに対する受信信号の信号点のずれの方向と大きさとして、Ｉ軸成分に沿う正方向のＤＩ，Ｑ軸成分に沿う正方向のＤＱを検出する。
【００３９】
また、ずれ検出部２１７は、多値変調方式に従う複素平面における受信信号の信号点と基準点との間の二点間距離を算出する距離算出部を構成する。
【００４０】
ずれ異常数算出部２１９は、複素平面における全ての基準点を囲む領域（領域Ｒ１）の外延から所定距離以上の隔てられた箇所（領域Ｒ２を超える箇所）で、所定期間において受信信号の信号点が特定された場合には、該所定期間において特定された該信号点の数を品質値として算出する。本実施形態では上記所定距離は、複素平面における隣接する基準点間の半分の距離であるとする。
【００４１】
図４は、本実施形態における１６ＱＡＭの複素平面を示す図である。図４に示すように、ずれ異常数算出部２１９は、領域Ｒ１，Ｒ２を複素平面に設定する。この領域Ｒ１，Ｒ２は、複素平面における全ての基準点を囲む領域である。
【００４２】
本実施形態では、いずれか一方向に隣接する基準点が存在しない特定の基準点（例えば、“１１００”，“１１０１”，“１００１”，“１０００”の点など）が複数特定される。特定された各基準点の外延Ｗ１，ｗ２を囲む領域が上記Ｒ１，Ｒ２となる。
【００４３】
また、領域Ｒ２は、隣接する基準点間（例えば、基準点（１１００）と基準点（１１１０）との間）の半分の距離Ｌ１（所定距離）を領域Ｒ１の外延Ｗ１から隔てながら領域Ｒ１を囲む領域である。
【００４４】
上記ずれ異常数算出部２１９は、領域Ｒ２の外（図４に示す斜線部分）で特定された所定期間内における受信信号の信号点の数（いわゆる異常数）を品質値として算出する。
【００４５】
ここで、複素平面における領域Ｒ２の外で特定された受信信号の信号点が多く存在する場合には、その領域Ｒ２の内では受信信号の信号点が誤基準点に近づく可能性が高くなる。このため、ダイバーシティ処理部４００が誤基準点を特定した受信部により出力された信号を選択することがある（上述した図１７参照）。
【００４６】
言い換えると、上述した図１７に示すように、基準点ａに関係する受信信号の信号点が点在している領域Ｋがある場合に、その領域Ｋが領域Ｒ２と重なる程大きくなると、領域Ｋの中では受信信号の信号点（例えば、Ｐ５０，Ｐ６０）が本来の基準点ａよりも誤基準点ｃなどに近くなる可能性が高くなる。
【００４７】
このため、各受信部からの受信信号の信号点がＰ５０，Ｐ６０である場合には、本来の基準点ａが特定されずに、誤基準点ｃが特定されることとなる。従って、ダイバーシティ処理部４００は、誤基準点ｃに対応する信号を誤って出力してしまう。
【００４８】
本発明では、複素平面における全ての基準点を囲む領域Ｒ１の外延から所定距離以上の隔てられた箇所（領域Ｒ２を越える箇所）で受信信号の信号点を特定した場合には、所定期間において特定した該受信信号の信号点の数を品質値として算出する。
【００４９】
このため、後述するダイバーシティ処理部４００は、各受信部における品質値に基づいてダイバーシティ処理を適切に中止させて、各受信部のうちのいずれかの受信部（例えば、受信信号の劣化の度合が最も少ない受信部など）からの信号を出力することにより、より適切な信号を出力することができる。
【００５０】
また、複素平面における全ての基準点を囲む領域Ｒ１の外延から領域Ｒ２までの所定距離が、隣接する基準点間の半分の距離Ｌ１である。この所定距離Ｌ１以上の隔てられた領域Ｒ２を越える箇所で、特定された受信信号の信号点の数が多くなるということは、上記領域１内では誤基準点により近い受信信号の信号点が増える可能性が高くなる。
【００５１】
したがって、上記領域Ｒ２を超える箇所で特定された受信信号の信号点の数が品質値としてより適切に算出されることにより、後述するダイバーシティ処理部４００は、各受信部における品質値に基づいてダイバーシティ処理を適切に中止させることができる。
【００５２】
制御量算出部２２１は、復調部２１３により復調された信号の品質の劣化の度合を示す品質値を所定期間毎に算出する。本実施形態における制御量算出部２２１は、復調部２１３により復調された信号の電力値を特定の電力値に近づけるための制御量を品質値として生成する。なお、本実施形態では制御量は、Ｃ／Ｎ値に関係する値（例えば、Ｃ／Ｎ値に比例又は反比例する値など）とする。
【００５３】
なお、ずれ異常数算出部２１９、及び制御量算出部２２１は、品質算出部を構成している。なお、第１受信部２００及び第２受信部３００のそれぞれは、受信信号の誤り率を品質値としてもよい。
【００５４】
なお、品質値がＣ／Ｎ値に比例又は反比例する制御量である場合には、品質値が高くなるにつれて、受信部により受信された受信信号の劣化の度合が高くなるとしてもよいし、該受信信号の劣化の度合が低くなるとしてもよい。
【００５５】
第２受信部３００は、アンテナ２０１と、チューナー２０３と、ＡＧＣ部２０５と、Ａ／Ｄ変換部２０７と、同期部２０９と、ＦＦＴ部２１１と、復調部２１３と、基準点特定部２１５と、ずれ検出部２１７と、ずれ異常数算出部２１９と、制御量算出部２２１とを備えている。第２受信部３００に含まれている各部は、第１受信部２００に含まれている同名の部と同様の機能を有する。
【００５６】
次に、ダイバーシティ処理部４００の内部構成について説明する。図５は、本実施形態におけるダイバーシティ処理部の内部構成を示す図である。図５に示すように、ダイバーシティ処理部４００は、相関性判定部４０１と、中止判定部４０３と、ダイバーシティ処理実行部４０５とを備えている。  
相関性判定部４０１は、第１受信部２００及び第２受信部３００により受信された受信信号間の複素平面上での相関性が高いか否か判定する相関性判定部を構成する。
【００５７】
具体的には、相関性判定部４０１は、第１受信部２００の基準点特定部２１５により特定された基準点と、第２受信部３００の基準点特定部２１５により特定された基準点とが一致している場合には、第１受信部２００及び第２受信部３００により出力された受信信号間の複素平面上での相関性が高いと判定する。
【００５８】
又は、相関性判定部は、第１受信部２００及び第２受信部における受信信号の信号点間の距離の差分が閾値を超えていない場合には、第１受信部２００及び第２受信部により出力された受信信号間の複素平面上での相関性が高いと判定する。
【００５９】
又は、相関性判定部４０１は、第１受信部２００の基準点特定部２１５により特定された基準点と、第２受信部３００の基準点特定部２１５により特定された基準点とが一致しており、第１受信部２００のずれ検出部２１７により算出された二点間距離と、第２受信部３００のずれ検出部２１７により算出された二点間距離との差分が閾値を超えていない場合には、第１受信部２００及び第２受信部３００により出力された受信信号間の複素平面上での相関性が高いと判定する。
【００６０】
中止判定部４０３は、相関性判定部４０１により判定された相関性の大きさに応じて、ダイバーシティ処理実行部４０５の処理を中止させるか否か判定する中止判定部を構成している。本実施形態では、中止判定部４０３は、相関性判定部４０１により判定された相関性の大きさに応じて、ダイバーシティ処理実行部４０５の一部又は全部の処理を中止させるか否か判定する。
【００６１】
具体的には、中止判定部４０３は、相関性判定部４０１により判定された相関性が高い場合には、ダイバーシティ処理実行部４０５の一部又は全部の処理を中止させる。一方、中止判定部４０３は、相関性判定部４０１により判定された相関性が高くない場合には、ダイバーシティ処理実行部４０５の一部又は全部の処理を中止させない。
【００６２】
ダイバーシティ処理実行部４０５は、中止判定部４０３からの指示に応じて、第１受信部２００及び第２受信部３００により復調された各受信信号を合成して出力するダイバーシティ処理を実行する。ここで、「合成」には、第１受信部２００及び第２受信部３００により出力された各信号が合成されること（後述する基準点一致合成部４０５−１を参照）や、第１受信部２００及び第２受信部３００により出力された各信号のうち、最も基準点に近い信号点を持つ信号が選択されること（後述する信頼度選択合成部４０５−３を参照）が含まれる。
【００６３】
（ダイバーシティ処理装置の動作）
次に、ダイバーシティ処理装置１００の動作１について説明する。図６は、ダイバーシティ処理装置１００の動作１を示す図である。
【００６４】
図６に示すように、Ｓ１において、ダイバーシティ処理装置１００は、第１受信部２００及び第２受信部３００により受信された受信信号間の複素平面上での相関性が高いか否か判定する（上記図５に対応する説明を参照）。
【００６５】
Ｓ３において、ダイバーシティ処理装置１００は、第１受信部２００及び第２受信部３００により受信された受信信号間の複素平面上での相関性が高い場合にはＳ５の処理に移り、第１受信部２００及び第２受信部３００により受信された受信信号間の複素平面上での相関性が高くない場合にはＳ７の処理に移る。
【００６６】
Ｓ５において、ダイバーシティ処理装置１００は、第１受信部２００及び第２受信部３００により受信された各受信信号を、上記ダイバーシティ処理により合成して出力する。
【００６７】
Ｓ７において、ダイバーシティ処理装置１００は、上記ダイバーシティ処理を実行せずに、第１受信部２００及び第２受信部３００により受信された各受信信号のうちのいずれかを選択して出力する。
【００６８】
（作用及び効果）
本実施形態の特徴によれば、第１受信部２００及び第２受信部３００により受信された受信信号間の複素平面上での相関性が高い場合、例えば、第１受信部２００及び第２受信部３００により２波のマルチパス信号が受信され、それらのマルチパス信号の位相差が小さい場合には、ダイバーシティ処理実行部４０５の処理を中止させることができる。
【００６９】
具体的には、第１受信部２００及び第２受信部３００により受信された受信信号間の複素平面上での相関性が高い場合には、各受信信号に対応する複素平面上での信号点が誤基準点に近くなる可能性が高い。この場合には、ダイバーシティ処理により各受信信号の信号点に近い誤基準点が選択され、当該誤基準点に対応する誤信号を出力する可能性が高くなる。
【００７０】
このため、第１受信部２００及び第２受信部３００により受信された受信信号間の複素平面上での相関性が高い場合には、ダイバーシティ処理を敢えて実行せずに、第１受信部２００及び第２受信部３００のうちのいずれかの受信部（例えば、受信信号の劣化の度合が最も少ない受信部など）からの信号を出力することにより、適切な信号を出力することができる。
【００７１】
［第２実施形態］
（ダイバーシティ処理装置の構成）
図７は、本実施形態におけるダイバーシティ処理部４００を示す図である。第１実施形態では、ダイバーシティ処理部４００は、第１受信部２００及び第２受信部３００により出力された受信信号間に相関性があるか否か判定することにより、ダイバーシティ処理を実行するか否か決定している。
【００７２】
第２実施形態では、ダイバーシティ処理装置１００は、第１受信部２００及び第２受信部３００により出力された受信信号間に相関性があるか否か判定することだけではなく、第１受信部２００及び第２受信部３００で算出された品質値が良好か否か判定することにより、ダイバーシティ処理を実行するか否か決定している。
【００７３】
なお、図７に示すダイバーシティ処理部４００に含まれている各部は、図５に示すダイバーシティ処理部４００に含まれている同名の各部と同様の機能を有する。
【００７４】
図７に示すように、ダイバーシティ処理部４００は、図５に示す構成に加えて、第１受信品質判定部４０７と、第２受信品質判定部４０９とを備えている。
【００７５】
第１受信品質判定部４０７は、第１受信部２００における制御量算出部２２１又はずれ異常数算出部２１９などにより算出された品質値が閾値を超えているか否か判定する。なお、第１受信部２００における品質値が高くなるにつれて、第１受信部２００により受信された受信信号の劣化の度合が高まるこことなる。また、品質値がＣ／Ｎ値に比例又は反比例する制御量である場合には、当該品質値が大きくなるにつれて、受信部により受信された受信信号の劣化の度合が高くなるとしてもよいし、該受信信号の劣化の度合が低くなるとしてもよい。
【００７６】
第２受信品質判定部４０９は、第２受信部３００における制御量算出部２２１又はずれ異常数算出部２１９などにより算出された品質値が閾値を超えているか否か判定する。なお、第２受信部３００における品質値が高くなるにつれて、第２受信部３００により受信された受信信号の劣化の度合が高まることとなる。また、品質値がＣ／Ｎ値に比例又は反比例する制御量である場合には、当該品質値が大きくなるにつれて、受信部により受信された受信信号の劣化の度合が高くなるとしてもよいし、該受信信号の劣化の度合が低くなるとしてもよい。
【００７７】
上記中止判定部４０３は、相関性判定部４０１により相関性が高いと判定され、第１受信品質判定部４０７及び第２受信品質判定部４０９のいずれか一方又は双方により品質値が閾値を超えていると判定された場合には、ダイバーシティ処理実行部４０５の処理を中止させる。
【００７８】
（ダイバーシティ処理装置の動作）
次に、本実施形態におけるダイバーシティ処理装置１００の動作２について説明する。図８は、本実施形態におけるダイバーシティ処理装置１００の動作２を示す図である。
【００７９】
図８に示すように、Ｓ１００において、ダイバーシティ処理装置１００は、第１受信部２００及び第２受信部３００により受信された受信信号間の複素平面上での相関性が高いか否か判定する（上記図５に対応する説明を参照）。
【００８０】
Ｓ１０３において、ダイバーシティ処理装置１００は、第１受信部２００及び第２受信部３００により受信された受信信号間の複素平面上での相関性が高い場合にはＳ１０５の処理に移り、第１受信部２００及び第２受信部３００により受信された受信信号間の複素平面上での相関性が高くない場合にはＳ１１１の処理に移る。
【００８１】
Ｓ１０５において、ダイバーシティ処理装置１００は、第１受信品質判定部４０７及び第２受信品質判定部４０９のいずれか一方又は双方により品質値が閾値を超えていると判定されたか否か判定する。
【００８２】
Ｓ１０７において、ダイバーシティ処理装置１００は、品質値が閾値を超えている場合にはＳ１１１の処理に移り、品質値が閾値を超えていない場合にはＳ１０９の処理に移る。
【００８３】
Ｓ１０９において、ダイバーシティ処理装置１００は、ダイバーシティ処理装置１００は、上記ダイバーシティ処理を実行せずに、第１受信部２００及び第２受信部３００により受信された各受信信号のうちのいずれかを選択して出力する。
【００８４】
Ｓ１１１において、ダイバーシティ処理装置１００は、第１受信部２００及び第２受信部３００により受信された各受信信号を、上記ダイバーシティ処理により合成して出力する。
【００８５】
（作用及び効果）
本実施形態の特徴によれば、第１受信部２００及び第２受信部３００により受信された受信信号間の複素平面上での相関性が高く、且つ第１受信部２００及び第２受信部３００により算出されたいずれか一方又は双方の品質値が閾値を超えて受信信号の劣化の度合が高い場合には、各受信信号の信号点が誤基準点に近くなる可能性が高まる。また、これに伴ないダイバーシティ処理により誤基準点に対応する信号を出力する可能性も高まる。
【００８６】
この場合には、ダイバーシティ処理を敢えて実行せずに、第１受信部２００及び第２受信部３００のうちのいずれかの受信部（例えば、受信信号の劣化の度合が最も少ない受信部など）からの信号を出力することにより、より適切な信号を出力することができる。
【００８７】
また、第１受信部２００及び第２受信部３００における制御量算出部２２１は、復調された受信信号の電力値を特定の電力値に近づけるための制御量を品質値として算出している。この場合には、当該制御量は既存の回路により生成されるため、当該制御量を算出するための回路を新たに設けられる必要が無くなる。
【００８８】
これにより、ダイバーシティ処理装置１００が拡大されなくても、上記制御量に基づいて適切にダイバーシティ処理を中止させることができる。このため、ダイバーシティ処理を適切に中止させて、第１受信部２００及び第２受信部３００のうちのいずれかの受信部（例えば、受信信号の劣化の度合が最も少ない受信部、予め設定された受信部など）からの信号を出力することにより、より適切な信号を出力することができる。
【００８９】
なお、上記各実施形態に限定されずに、以下に示す変更を加えてもよい。
【００９０】
［第１変更例］
図９は、第１変更例における内部構造を示す図である。図９に示すように、ダイバーシティ処理実行部４０５は、基準点一致合成部４０５−１と、最終選択部４０５−２とを備えてもよい。なお、ダイバーシティ処理は、基準点一致合成部４０５−１により実行される。
【００９１】
基準点一致合成部４０５−１は、中止判定部４０３からの指示に基づいて、第１受信部２００により特定された基準点と第２受信部３００により特定された基準点とが一致している場合には、該基準点に対応する信号を出力する基準点一致出力部を構成している。
【００９２】
最終選択部４０５−２は、基準点一致合成部４０５−１の処理が実行されない場合、又は基準点一致合成部４０５−１の処理が実行されても第１受信部２００により特定された基準点と第２受信部３００により特定された基準点とが一致していない場合には、第１受信部２００及び第２受信部３００により出力された信号のうちのいずれかを選択して出力する。
【００９３】
例えば、最終選択部４０５−２は、最も小さい品質値を算出した受信部（又は予め設定された受信部など）により出力された信号を選択して出力する。
【００９４】
なお、中止判定部４０３は、相関性判定部４０１により判定された相関性が高いと判定され、受信品質判定部４０７，４０９により品質値が閾値を超えていると判定された場合には、基準点一致合成部４０５−１における処理を中止させる。
【００９５】
本変更例の特徴によれば、第１受信部２００及び第２受信部３００により特定された各基準点が一致している場合には、第１受信部２００及び第２受信部３００により受信された受信信号間の複素平面上での相関性が高くなる。さらに上記品質値が閾値を超えて受信信号の劣化の度合が高い場合には、第１受信部２００及び第２受信部３００の信号点が誤基準点に近くなる可能性がより高まる。また、これに伴ないダイバーシティ処理により誤基準点に対応する信号を出力する可能性もさらに高まる。
【００９６】
したがって、受信信号間の複素平面上での相関性が高く、上記品質値が閾値を超えている場合には、基準点一致合成部４０５−１の処理（ダイバーシティ処理）を敢えて実行せずに、第１受信部２００及び第２受信部３００のうちのいずれかの受信部（例えば、受信信号の劣化の度合が最も少ない受信部、予め設定された受信部など）からの信号を出力することにより、より適切な信号を出力することができる。
【００９７】
［第２変更例］
図１０は、第２変更例における内部構造を示す図である。図１０に示すように、ダイバーシティ処理実行部４０５は、信頼度選択合成部４０５−３と、最終選択部４０５−２とを備えてもよい。なお、ダイバーシティ処理は、基準点一致合成部４０５−１又は信頼度選択合成部４０５−３により実行される。
【００９８】
信頼度選択合成部４０５−３は、中止判定部４０３からの指示に基づいて、第１受信部２００のずれ検出部２１７により算出された二点間距離と、第２受信部３００のずれ検出部２１７により算出された二点間距離とを比較し、最も短い二点間距離を算出した受信部により出力された信号を選択して出力する。
【００９９】
最終選択部４０５−２は、信頼度選択合成部４０５−３の処理が実行されない場合、又は信頼度選択合成部４０５−３の処理が実行されても信頼度選択合成部４０５−３により各二点間距離が同一であると判定された場合には、第１受信部２００及び第２受信部３００により出力された信号のうちのいずれかを選択して出力する。
【０１００】
なお、中止判定部４０３は、相関性判定部４０１により判定された相関性が高いと判定され、受信品質判定部４０７，４０９により品質値が閾値を超えていると判定された場合には、信頼度選択合成部４０５−３における処理を中止させる。
【０１０１】
本変更例の特徴によれば、第１受信部２００及び第２受信部３００における受信信号の信号点間の差分が小さい場合には、第１受信部２００及び第２受信部３００により受信された受信信号間の複素平面上での相関性が高くなる。さらに上記品質値が閾値を超えて受信信号の劣化の度合が高い場合には、各受信信号の信号点が誤基準点に近くなる可能性がより高まり、これに伴ないダイバーシティ処理により誤基準点に対応する信号を出力する可能性もさらに高まる。
【０１０２】
したがって、受信信号間の複素平面上での相関性が高く、上記品質値が閾値を超えている場合には、信頼度選択合成部４０５−３の処理（ダイバーシティ処理）を敢えて実行せずに、第１受信部２００及び第２受信部３００のうちのいずれかの受信部（例えば、受信信号の劣化の度合が最も少ない受信部、予め設定された受信部など）からの信号を出力することにより、より適切な信号を出力することができる。
【０１０３】
［第３変更例］
図１１は、第３変更例における内部構造を示す図である。図１１に示すように、ダイバーシティ処理実行部４０５は、基準点一致合成部４０５−１と、信頼度選択合成部４０５−３と、最終選択部４０５−２とを備えてもよい。
【０１０４】
基準点一致合成部４０５−１は、中止判定部４０３からの指示に基づいて、第１受信部２００により特定された基準点と第２受信部３００により特定された基準点とが一致している場合には、該基準点に対応する信号を出力する。
【０１０５】
信頼度選択合成部４０５−３は、中止判定部４０３からの指示に基づいて、第１受信部２００により特定された基準点と第２受信部３００により特定された基準点とが一致していない場合には、第１受信部２００のずれ検出部２１７により算出された二点間距離と、第２受信部３００のずれ検出部２１７により算出された二点間距離とを比較し、最も短い二点間距離を算出した受信部により出力された信号を選択して出力する。
【０１０６】
最終選択部４０５−２は、基準点一致合成部４０５−１及び信頼度選択合成部４０５−３の処理が実行されない場合、又は、基準点一致合成部４０５−１及び信頼度選択合成部４０５−３の処理が実行されても第１受信部２００により特定された基準点と第２受信部３００により特定された基準点とが一致しておらず、且つ信頼度選択合成部４０５−３により各二点間距離が同一であると判定された場合には、第１受信部２００及び第２受信部３００により出力された信号のうちのいずれかを選択して出力する。
【０１０７】
なお、中止判定部４０３は、相関性判定部４０１により判定された相関性が高いと判定され、受信品質判定部４０７，４０９により品質値が閾値を超えていると判定された場合には、基準点一致合成部４０５−１及び信頼度選択合成部４０５−３における処理を中止させる。
【０１０８】
本変更例の特徴によれば、第１受信部２００及び第２受信部３００の受信信号間の複素平面上での相関性が高く、上記品質値が閾値を超えている場合には、基準点一致合成部４０５−１及び信頼度選択合成部４０５−３の処理（全てのダイバーシティ処理）を確実に実行させないようにすることができる。このため、第１受信部２００及び第２受信部３００のうちのいずれかの受信部（例えば、受信信号の劣化の度合が最も少ない受信部、予め設定された受信部など）からの信号を出力することにより、より適切な信号を出力することができる。
【０１０９】
なお、第１受信部２００及び第２受信部３００のそれぞれは、ＦＦＴ部２１１により出力された信号に含まれているパイロット信号に基づいて、該パイロット信号に含まれているＳＰ（Scattered Pilot）信号の分散によりキャリアの信頼性の高さを信頼性情報として特定してもよい（参考文献：「地上波伝送特性を考慮した誤り制御」、１９９８年映像情報メディア学会３−１）。
【０１１０】
また、信頼度選択合成部４０５−３は、中止判定部４０３からの指示に基づいて、第１受信部２００により特定された基準点と第２受信部３００により特定された基準点とが一致していない場合には、第１受信部２００により特定された信頼性情報と、第２受信部３００により特定された信頼性情報とを比較し、キャリアの信頼性が高いことを示す信頼性情報を特定した受信部により出力された信号を選択して出力してもよい。
【０１１１】
なお、本発明は、ＯＦＤＭ（Orthogonal Frequency Division Multiplexing；直交周波数分割多重）方式が適用される地上波ディジタル放送で用いられている信号を受信するダイバーシティ処理装置にのみ適用されるのではなく、当該地上波ディジタル放送以外で用いられている信号を受信するダイバーシティ処理装置にも当然に適用することができる。
【０１１２】
以上、本発明の一例を説明したが、具体例を例示したに過ぎず、特に本発明を限定するものではなく、各部の具体的構成等は、適宜設計変更可能である。また、各実施形態の構成及び各変更例の構成はそれぞれ組み合わせることが可能である。また、各実施形態及び各変更例の作用及び効果は、本発明から生じる最も好適な作用及び効果を列挙したに過ぎず、本発明による作用及び効果は、各実施形態及び各変更例に記載されたものに限定されるものではない。
【図面の簡単な説明】
【０１１３】
【図１】第１実施形態におけるダイバーシティ処理装置を示す図である。
【図２】第１実施形態における第１受信部及び第２受信部の内部構造を示す図である。
【図３】第１実施形態における多値変調方式に従う複素平面を示す図である。
【図４】第１実施形態における多値変調方式に従う複素平面を示す図である。
【図５】第１実施形態におけるダイバーシティ処理部の内部構造を示す図である。
【図６】第１実施形態におけるダイバーシティ処理装置の動作を示す図である。
【図７】第２実施形態におけるダイバーシティ処理部の内部構造を示す図である。
【図８】第２実施形態におけるダイバーシティ処理装置の動作を示す図である。
【図９】第１変更例におけるダイバーシティ処理部の内部構造を示す図である。
【図１０】第２変更例におけるダイバーシティ処理部の内部構造を示す図である。
【図１１】第３変更例におけるダイバーシティ処理部の内部構造を示す図である。
【図１２】多値変調方式に従う複素平面を示す図である。
【図１３】多値変調方式に従う複素平面を示す図である。
【図１４】従来のダイバーシティ処理装置を示す図である。
【図１５】多値変調方式に従う複素平面を示す図である。
【図１６】多値変調方式に従う複素平面を示す図である。
【図１７】多値変調方式に従う複素平面を示す図である。
【符号の説明】
【０１１４】
１…ダイバーシティ処理装置、２…第１受信部、３…第２受信部、４…ダイバーシティ処理部、１００…ダイバーシティ処理装置、２００…第１受信部、２０１…アンテナ、２０３…チューナー、２０５…ＡＧＣ部、２０７…Ａ／Ｄ変換部、２０９…同期部、２１１…ＦＦＴ部、２１３…制御量生成部、２１３…復調部、２１５…基準点特定部、２１７…検出部、２１９…異常数算出部、２２１…制御量算出部、３００…第２受信部、４００…ダイバーシティ処理部、４０１…相関性判定部、４０３…中止判定部、４０５…ダイバーシティ処理実行部、４０７，４０９…受信品質判定部
【図１】
2006270223.tif 000003
【図２】
2006270223.tif 000004
【図３】
2006270223.tif 000005
【図４】
2006270223.tif 000006
【図５】
2006270223.tif 000007
【図６】
2006270223.tif 000008
【図７】
2006270223.tif 000009
【図８】
2006270223.tif 000010
【図９】
2006270223.tif 000011
【図１０】
2006270223.tif 000012
【図１１】
2006270223.tif 000013
【図１２】
2006270223.tif 000014
【図１３】
2006270223.tif 000015
【図１４】
2006270223.tif 000016
【図１５】
2006270223.tif 000017
【図１６】
2006270223.tif 000018
【図１７】
2006270223.tif 000019